(57)【特許請求の範囲】
【請求項１】
エレベータのかごの側壁に嵌設されて操作器具が収納された前面開口の収納ボックスと、
複数の板状体からなるフェースプレート片で上記収納ボックスの上記開口を覆うフェースプレートと、
上記操作器具を覆う所定の上記フェースプレート片の背面一側部に設けられ、長軸を水平方向へ向けた長穴が上下に掘穿された受け具、及び、上記収納ボックスに設けられ、上記受け具の長穴に挿入されるピンを有し、上記所定のフェースプレート片の一側部を上記収納ボックスに係止するヒンジ機構と、
上記所定のフェースプレート片に取り付けられてキー操作によって揺動するレバーと、
上記所定のフェースプレート片が閉じた状態で上記レバーに近接して配置されるとともに、揺動する上記レバーが当接することにより、上記所定のフェースプレート片を上記受け具の長穴の長軸方向に移動させる係合子と、
を備え、
上記所定のフェースプレート片は、上記キー操作により、その一側部が、上記収納ボックスの上記開口を覆う状態から、上記ピンを中心に回動可能な、上記収納ボックスの上記開口内側に移動されることを特徴とするエレベータのかご操作盤。
【請求項２】
所定のフェースプレート片の一側部のみをヒンジ機構で収納ボックスに係止するものとした請求項１に記載のエレベータのかご操作盤。
【請求項３】
所定のフェースプレート片の両側部をヒンジ機構で収納ボックスに係止するものとし、かつ、受け具の長穴の一端を開放端とし、キー操作によって上記所定のフェースプレート片の一方の側部が、上記収納ボックスの前面開口を覆う状態から、一方の上記ヒンジ機構のピンを中心に回動可能な、上記収納ボックスの上記開口内側に移動されたときに、他方の上記ヒンジ機構のピンが、上記開放端を介して上記他方のヒンジ機構の受け具から解放されるものとした請求項１に記載のエレベータのかご操作盤。
【請求項４】
所定のフェースプレート片と上記所定のフェースプレート片に隣接する隣接フェースプレート片とのいずれか一方にレバーを取り付け、いずれか他方に係合子を取り付け、かつ、上記レバーは正常位置で上記所定のフェースプレート片を上記隣接フェースプレート片に係止させて上記所定のフェースプレート片を施錠状態としたことを特徴とする請求項１に記載のエレベータのかご操作盤。
【請求項５】
係合子を、フェースプレート片の正常位置でレバーを制止させる位置決め機構を具備するものとした請求項１に記載のエレベータのかご操作盤。
【発明の詳細な説明】
【０００１】
【発明の属する技術分野】
この発明は、エレベータのかごの側壁に取り付けられたかご操作盤の収納ボックスの開口を覆うフェースプレートの開閉機構に関するものである。
【０００２】
【従来の技術】
図１４から図２１は、従来のエレベータのかご操作盤を示す。
エレベータのかご１を運転するかご操作盤３は、通常、図１４に示すように、出入口横のかご戸２の戸袋部分の側壁１ａに取り付けられ、乗り込むと直ちに行先釦６を操作することができ、かご戸２の開閉に留意しながら戸開閉釦７を操作できるようになっている。
また、図１５に示したように、かご操作盤３は、戸当り側の側壁１ａに取り付けられる場合もある。
【０００３】
上記行先釦６及び戸開閉釦７は、かご１の側壁１ａに嵌設された収納ボックス４内に設置されている。この収納ボックス４には、他に保守点検用スイッチ８が取り付けられており、この保守点検用スイッチ８は通常はフェースプレート５ｂによって覆われていて一般の利用客には操作できないようになっている。保守点検の際には対応部分を覆うフェースプレート片５ｂが開放されて保守点検用スイッチ８が作業の用に供される。
【０００４】
即ち、フェースプレート５は、収納ボックス４よりも広幅な複数の板状体からなるフェースプレート片５ａ、５ｂ、５ｃで構成され、保守点検用スイッチ８が取り付けられた部分を覆うフェースプレート片５ｂは、側縁部がヒンジ機構９によって収納ボックス４に係止されている。
ここで、ヒンジ機構９は、収納ボックス４の内側面に立設された取付腕９ａと、この取付腕９ａに固着された中空状の受け具９ｂと、フェースプレート片５ｂの側縁部背面に固着されて受け具９ｂに挿入されたピン９ｃとからなり、フェースプレート片５ｂを揺動自在に係止する。従って、フェースプレート片５ｂは、揺動の際にオーバーハング部分が側壁１ａと干渉しないようにするため、側壁１ａから距離Ｈだけ浮いた状態で取り付けられている。
【０００５】
フェースプレート片５ｂには、錠１０が取り付けられており、この錠１０の回動部には、レバー１２が取り付けられている。フェースプレート片５ｂが収納ボックス４の開口を覆った状態では、図１６に示したとおり、レバー１２を直立させてフェースプレート片５ａの背面と対向させる。このため、フェースプレート片５ｂはレバー１２によって回動を阻止されて収納ボックス４を開放することができず、施錠状態となっている。
【０００６】
フェースプレート片５ｂを開放するには、図１７及び図１８に示したとおり、キー１１を錠１０に差し込んでレバー１２を水平方向へ倒し、解錠状態にした後フェースプレート片５ｂを回動させる。
用済み後は、フェースプレート片５ｂを逆回動させて収納ボックス４の開口を覆った後、キー１１を錠１０に差し込んでレバー１２を直立させ、施錠状態とする。
【０００７】
また、図１９から図２１に示すエレベータのかご操作盤３は、保守点検用スイッチ８が取り付けられた収納ボックス４の開口の両側縁部をフェースプレート片５ｄで覆われ、中央部をフェースプレート片５ｅで覆われている。このフェースプレート片５ｅは、フェースプレート片５ｄの背面に取り付けられたガイド５ｆに案内されて上下に移動する。
フェースプレート片５ｅには錠１０が取り付けられており、この錠１０には、Ｌ字状に屈曲したレバー１３が取り付けられている。また、フェースプレート片５ａの背面にはレバー１３と係合するＬ字状に屈曲したフック１４が取り付けられている。
【０００８】
フェースプレート片５ｅが収納ボックス４を覆った状態では、図２０に示したとおり、レバー１３は直立してフック１４に懸吊されている。このため、フェースプレート片５ｅはレバー１２によって吊持されて収納ボックス４を開放することができない。即ち、施錠状態となる。
【０００９】
フェースプレート片５ｅを開放するには、図２０に示したとおり、キー１１を錠１０に差し込んでレバー１３を水平方向へ倒し、解錠状態にした後、図２１に示したとおり、フェースプレート片５ｅを下げて開口を開く。
用済み後は、フェースプレート片５ｅを上げて収納ボックス４の開口を覆った後、キー１１を操作してレバー１３を直立させ、フック１４に係止して施錠状態とする。
【００１０】
【発明が解決しようとする課題】
図１６から図１８に示す従来のエレベータのかご操作盤３は、上記のとおりフェースプレート片５ｂがヒンジ機構９によって収納ボックス４に係止されているので、フェースプレート片５ｂを回動させたときにオーバーハング部分が側壁１ａに当らないように、フェースプレート片５ｂと側壁１ａとの間に隙間Ｈが必要となる。この隙間Ｈ相当分だけフェースプレート５をかご１の室内側へ突出させる必要がある。このため、利用客が不用意に操作器具に触れてかご呼びが登録され、エレベータが無駄運転される、という問題があった。
特に、図１５に示したように、戸当り側の側壁１ａに取り付けられた場合は、人の乗降を阻害したり、積荷と干渉する、という問題もあった。
【００１１】
また、図１９から図２１に示すかご操作盤は、フェースプレート片５ｅが収納ボックス４内に収納されるため、収納ボックス４が深くなって昇降路側へ突出することになる。このため、昇降路スペースの有効利用が図れない、という問題があった。また、フェースプレート片５ｅは、他のフェースプレート５の表面からは陥没するため、美観を損ねる、という問題もあった。
【００１２】
更に、実願平４−３２９８７号公報には、収納ボックス内を横断するリンクの一端を上記収納ボックスの一端側に回動自在に係止し、リンクの他端を上記収納ボックスの他端側と対向するフェースプレートの他端側に回動自在に係止することにより、フェースプレートを左右いずれにも開くことができるようにしたものが開示されているが、リンクが収納ボックス内を横断するため、操作器具を取り付ける場合に、リンクとの干渉を避けなければならない、という問題があった。
【００１３】
更にまた、特開２００１−２４０３４５号公報に記載のものは、フェースプレートを手前側へ引き出した後、回動させるようにしたもので、引出寸法が大きいと収納ボックスが深くなって昇降路スペースの有効利用が図れない、という問題があった。
【００１４】
この発明は、上記問題点を解決するためになされたものであり、フェースプレートをかご室内側へ突出させることなく、また、収納ボックスも厚くすることもなく、フェースプレートを揺動させて収納ボックスを開閉できるエレベータのかご操作盤を提供することを目的とする。
【００１５】
【課題を解決するための手段】
請求項１に係るエレベータのかご操作盤は、エレベータのかごの側壁に嵌設されて操作器具が収納された前面開口の収納ボックスと、複数の板状体からなるフェースプレート片で収納ボックスの開口を覆うフェースプレートと、操作器具を覆う所定のフェースプレート片の背面一側部に設けられ、長軸を水平方向へ向けた長穴が上下に掘穿された受け具、及び、収納ボックスに設けられ、受け具の長穴に挿入されるピンを有し、所定のフェースプレート片の一側部を収納ボックスに係止するヒンジ機構と、所定のフェースプレート片に取り付けられてキー操作によって揺動するレバーと、所定のフェースプレート片が閉じた状態でレバーに近接して配置されるとともに、揺動するレバーが当接することにより、所定のフェースプレート片を受け具の長穴の長軸方向に移動させる係合子と、を備え、所定のフェースプレート片は、キー操作により、その一側部が、収納ボックスの開口を覆う状態から、ピンを中心に回動可能な、収納ボックスの開口内側に移動されるようにしたものである。
【００１６】
請求項２に係るエレベータのかご操作盤は、請求項１に係るエレベータのかご操作盤において、所定のフェースプレート片の一側部のみをヒンジ機構で収納ボックスに係止するようにしたものである。
【００１７】
請求項３に係るエレベータのかご操作盤は、請求項１に係るエレベータのかご操作盤において、所定のフェースプレート片の両側部をヒンジ機構で収納ボックスに係止し、かつ、受け具の長穴の一端を開放端とし、キー操作によって所定のフェースプレート片の一方の側部が、収納ボックスの前面開口を覆う状態から、一方のヒンジ機構のピンを中心に回動可能な、収納ボックスの開口内側に移動されたときに、他方のヒンジ機構のピンが、開放端を介して他方のヒンジ機構の受け具から解放されるようにしたものである。
【００１８】
請求項４に係るエレベータのかご操作盤は、請求項１に係るエレベータのかご操作盤において、所定のフェースプレート片と所定のフェースプレート片に隣接する隣接フェースプレート片とのいずれか一方にレバーを取り付け、いずれか他方に係合子を取り付け、かつ、レバーは正常位置で所定のフェースプレート片を隣接フェースプレート片に係止させて施錠状態にしたものである。
【００１９】
請求項５に係るエレベータのかご操作盤は、請求項１に係るエレベータのかご操作盤において、フェースプレート片の正常位置でレバーを制止させる位置決め機構を係合子に取り付けたものである。
【００２０】
【発明の実施の形態】
実施の形態１．
図１から図８は、この発明の実施の形態１を示す。図１において、３はエレベータのかご操作盤、４はかごの側壁１ａに嵌設されて操作器具が収納された前面開口の収納ボックス、５は広幅の板状体からなる複数のフェースプレート片５ａ、５ｂ及び５ｃで構成されて収納ボックス４の開口をオーバーハングして覆うフェースプレート、６は操作器具である行先釦、７は同じく戸開閉釦である。
【００２１】
８は収納ボックス４に取り付けられた保守点検用スイッチで、通常はフェースプレート片５ｂによって覆われていて利用客には操作できないようになっており、保守点検の際にはフェースプレート片５ｂが開放されて保守点検作業の用に供される。８ａは保守点検用スイッチ８の取付台である。
【００２２】
１０はフェースプレート片５ｂに取り付けられた錠、２１はヒンジ機構、２５は錠１０の回動部に固着されて回動するレバーで、左揺動レバー２６、右揺動レバー２７及び制止レバー２８からなる。フェースプレート片５ｂが収納ボックス４の開口を覆った状態では、左揺動レバー２６は先端を下方へ向け、右揺動レバー２７は先端を水平方向へ向けている。制止レバー２８は先端を上方へ向けて直立してフェースプレート片５ａの背面と対向し、フェースプレート片５ｂの開放を阻止して施錠状態とする。
【００２３】
３０はフェースプレート片５ａの背面に取り付けられ、コ字状に屈曲されて開口をかご室内側へ向け、レバー２５と係合する係合子である。３１は係合子３０のコ字状部の右側フランジからなる右側係合子３１で、左揺動レバー２６と係合してフェースプレート片５ｂを左側へ偏移させる。３２は係合子３０のコ字状部の左側フランジからなる左側係合子で、右揺動レバー２７と係合して左側へ偏移したフェースプレート片５ｂを右側へ移動させて正常位置に戻す。３３は左側係合子３２の内側側面に取り付けられて横設され、ヘ字状に屈曲された凹部を下方へ向けたストッパで、フェースプレート片５ｂが正常位置にあるときに上記凹部に制止レバー２８の先端部が挿入されて制止させるもので、制止レバー２８と共にフェースプレート片５ｂの位置決め機構として機能するものである。
【００２４】
図２はフェースプレート片５ｂが開放された状態を示し、レバー２５は反時計方向へ回されて左揺動レバー２６は水平になっている。
２２は長軸をフェースプレート片５ｂの板面に平行に水平方向へ向けた長穴２２ａが掘穿された受け具で、フェースプレート片５ｂの一側部の背面に取り付けられている。２３は収納ボックス４の内側側面に突設され、開口側へ直角に屈曲した取付腕、２４は取付腕２３の先端部に立設されたピンで、長穴２２ａに挿入されてフェースプレート片５ｂの側縁部を収納ボックス４に係止する。即ち、取付腕２３とピン２４と受け具２２は、ヒンジ機構２１を構成する。
【００２５】
図３は、フェースプレート片５ｂに取り付けられる器具の取付状態を示す。図中、図１及び図２と同符合は同一部分を示す。錠１０はロックナット１０ａによってフェースプレート片５ｂに取り付けられ、回動部にはレバー２５が固着されている。
【００２６】
図４は、ヒンジ機構２１の詳細を示す。図中、図１から図３と同符合は同一部分を示す。受け具２２には長穴２２ａが掘穿され、この長穴２２ａの長軸を水平方向へ向けてフェースプレート片５ｂの一側部の背面に上下二箇所に取り付けられている。取付腕２３は直角に屈曲しており、一端が収納ボックス４の内側側面に固着され、他端が収納ボックス４の開口側へ向くように取り付けられ、かつ、上記他端にピン２４が垂立されている。フェースプレート片５ｂは受け具２２の長穴２２ａにピン２４を挿入することにより収納ボックス４に取り付けられる。従って、フェースプレート片５ｂは、長穴２２ａの長軸方向へ相対移動し、端縁を収納ボックス４の開口内に収めることができる。
【００２７】
図５は、図１のＶ−Ｖ線断面を矢視したもので、フェースプレート片５ｂが閉じた状態を示す。従って、レバー２５は、図８（ａ）に示したとおり、制止レバー２８は上方を向いてフェースプレート片５ａの背面下に位置し、左揺動レバー２６は下方を向き、右揺動レバー２７は水平に左方向を向いている。
【００２８】
次に、フェースプレート片５ｂを開く方法を述べる。
まず、錠１０にキー１１を差し込み、反時計方向へ９０度回動させる。図６は、キー１１を反時計方向へ９０度回動させたときの図１のＶ−Ｖ線断面を矢視したものである。フェースプレート片５ｂが正常な位置にあるときは、図５に示したとおり、ピン２４はフェースプレート片５ｂの中心側の終端で受け具２２と係合している。キー１１を反時計方向へ回動させると、左揺動レバー２６は右側係合子３１に当接する。更に反時計方向へ回動させると、フェースプレート片５ｂを左方へ移動させる。この左方移動に伴ってピン２４は長穴２２ａ内を移動して側縁側の終端で受け具２２と係合する。
【００２９】
ここで、図８に基いて、フェースプレート片５ｂの移動量について述べる。回動中心から左揺動レバー２６の先端及び右揺動レバー２７の先端までの距離をそれぞれｂとし、制止レバー２８の先端までの距離をａとする。更に、右側係合子３１と左側係合子３２の内法寸法をｃとし、ｃ＝ａ＋ｂとする。
フェースプレート片５ｂが正常な位置にあるときは、図８（ａ）に示すとおり、右揺動レバー２７が左側係合子３２に当接して、回動中心は左側係合子３２の内側から距離ｂを隔てる。また、制止レバー２８はストッパ３３によって制止されている。
【００３０】
キー１１を反時計方向へ９０度回動させると、図８（ｂ）に示すとおり、左揺動レバー２６が右側係合子３１に当接して、回動中心は右側係合子３１の内側から距離ｂを隔てる。
従って、図８（ａ）から図８（ｂ）への移動に伴って、回動中心は左側へ（ｂ−ａ）だけ移動する。即ち、フェースプレート片５ｂを（ｂ−ａ）だけ左側へ移動させることになる。
【００３１】
図６は、フェースプレート片５ｂが（ｂ−ａ）だけ左側へ移動した状態を示すもので、このときのピン２４の中心からフェースプレート片５ｂの右端までの距離はδであり、収納ボックス４の右側板よりも内側にある。
図７は、フェースプレート片５ｂを左側へ移動させた後、キー１１を引いてフェースプレート片５ｂを回動させ、左側を開いて収納ボックス４を開放した状態を示す。
フェースプレート片５ｂはピン２４を支点として回動して右端は収納ボックス４内に入り込み、略９０度回動して収納ボックス４を開放し、保守点検用スイッチ８の操作を可能とする。
【００３２】
次に、開放された収納ボックス４をフェースプレート片５ｂで閉じるには、ピン２４が長穴２２ａの側縁側の終端で受け具２２と係合した状態で、フェースプレート片５ｂを逆回動させて収納ボックス４を覆う。このとき、レバー２５は図８（ｂ）に示すとおり、右揺動レバー２７は下方へ向いた状態で係合子３０と係合する。即ち、図６に示す状態となる。
【００３３】
キー１１を時計方向へ回動させると、右揺動レバー２７が左側係合子３２に当接してフェースプレート片５ｂを右側へ移動させる。制止レバー２８は上方へ直立し、先端部がストッパ３３の凹部に挿入されて制止される。このとき、フェースプレート片５ｂは、図５に示すとおり正常位置となり、ピン２４はフェースプレート片５ｂの中心側の終端で受け具２２と係合する。この状態でキー１１を抜脱する。正常位置に復帰すると、制止レバー２８は先端を上方へ向けて直立し、フェースプレート片５ａの背面と対向して施錠状態となるので、フェースプレート片５ｂを開放することはできない。
【００３４】
上記実施の形態１によれば、収納ボックス４の内側側面に取付腕２３を突設して先端部にピン２４を立設し、長軸を水平方向へ向けた長穴２２ａが掘穿された受け具２２をフェースプレート片５ｂの背面右側縁部に取り付け、この長穴２２ａにピン２４を挿入したヒンジ機構２１によりフェースプレート片５ｂを水平移動可能な状態で収納ボックス４に係止し、フェースプレート片５ｂを開閉させる場合は、フェースプレート片５ｂの右端を、収納ボックス４の右側板よりも内側まで水平移動させ、フェースプレート片５ｂのオーバーハング部分を収納ボックス４内に没入させるようにしたので、受け具２２とピン２４の係合位置が収納ボックス４内にあっても開閉することができる。
このため、フェースプレート５をかご室内側へ突出させる、即ち、受け具２２とピン２４の係合位置をかご室内側へ突出させることなく開閉することができる。
【００３５】
また、フェースプレート５の開閉のためには、収納ボックス４は、フェースプレート片５ｂを水平方向に移動させたときのピン２４の支持中心からフェースプレート片５ｂの端縁までの距離δ相当の深さがあれば良いから、操作器具を収納するのに必要とされる本来の深さで足りるものである。このため、収納ボックスを殊更厚くする必要はない。
【００３６】
実施の形態２．
図９から図１３は、この発明の実施の形態２を示す。実施の形態１では、フェースプレート片５ｂの左側を開閉するものとしたが、この実施の形態２は、両側を開閉できるようにしたものである。
図９及び図１０において、図１から図８と同符合は、同一部分を示す。
５１は、右側のヒンジ機構で、フェースプレート片５ｂの右側縁部の背面には受け具５２が取り付けられ、この受け具５２には長軸をフェースプレート片５ｂの板面に平行に水平方向へ向けた長穴５２ａが掘穿され、この長穴５２ａのフェースプレート片５ｂ中央側の一端部は開口５２ｂとなっており、他端部には反フェースプレート片５ｂ側へ向けて落し穴５２ｃが掘穿されている。
【００３７】
５３は収納ボックス４の右側内側面に水平に突設されてフェースプレート片５ｂ側へ直角に屈曲した取付腕である。５４は取付腕５３の先端部に立設されたピンで、長穴５２ａに挿入されてフェースプレート片５ｂの右側縁部を収納ボックス４に係止する。即ち、取付腕５３とピン５４と受け具５２は、ヒンジ機構５１を構成する。
【００３８】
左側のヒンジ機構５１ｈは、右側のヒンジ機構５１と対称をなし、同様に構成されている。即ち、フェースプレート片５ｂの左側縁部の背面に受け具５２ｈが取り付けられ、この受け具５２ｈには長穴５２ｈａが掘穿され、この長穴５２ｈａの中央側の端部は開口５２ｈｂとなっており、他端部には落し穴５２ｈｃが掘穿されている。収納ボックス４の左側内側面に取付腕５３ｈが突設され、先端部にピン５４ｈが立設されて長穴５２ｈａに挿入されている。
【００３９】
５５は錠１０の回動部に固着されて回動するレバーで、フェースプレート片５ｂが収納ボックス４の開口を覆った状態の正常位置では、上方へ向けて直立してフェースプレート片５ａの背面と対向し、フェースプレート片５ｂの開放を阻止して施錠状態とする。６０はレバー５５の両側に当接する係合子で、基部がフェースプレート片５ａの背面に取り付けられ先端部を自由端とし互いに近接させてハ字状をなし、フェースプレート片５ｂが収納ボックス４の開口を覆った状態ではレバー５５を両側から挟持する一対の右側係合子６１及び左側係合子６２からなる。
【００４０】
次に、フェースプレート片５ｂの左側を開く場合について述べる。
まず、フェースプレート片５ｂが収納ボックス４の開口を覆った状態ではレバー５５は、図９及び図１０に示したとおり直立しており、両側を一対の右側係合子６１及び左側係合子６２によって挟持されている。
錠１０にキー１１を指し込み、時計方向へ回動させると、図１１に示したとおり、レバー５５は右側係合子６１を蹴ってフェースプレート片５ｂを左側へ移動させる。この移動によってフェースプレート片５ｂの右側の端縁は収納ボックス４の右側側板よりも内側へ移動し、ピン５４は長穴５２ａの他端部側で受け具５２と係合し、ピン５４ｈは長穴５２ｈａの一端部で受け具５２ｈと係合する。
【００４１】
キー１１を手前側へ引くと、フェースプレート片５ｂが手前側へ引かれて右側のピン５４は落し穴５２ｃに落とし込まれて受け具５２の係合位置が固定され、左側のピン５４ｈは開口５２ｈｂを抜け、受け具５２ｈとの係合が解かれる。
更にキー１１を引くと、図１２に示したとおり、フェースプレート片５ｂはピン５４を支点として回動して収納ボックス４が開かれ、保守点検用スイッチ８の操作が可能となる。
【００４２】
次に、左側が開かれた状態のフェースプレート片５ｂを閉じる場合について述べる。
キー１１を回わしたままの状態で、かつ、ピン５４を落し穴５２ｃに落とし込んだままの状態で、フェースプレート片５ｂを逆回動させて収納ボックス４を覆った後押し込む。この押込みによってピン５４が落し穴５２ｃから脱出し、ピン５４ｈは開口５２ｈｂを通って長穴５２ｈａと係合する。キー１１を反時計方向へ回すと、レバー５５が左側係合子６２を蹴ってフェースプレート片５ｂを右側へ移動させる。レバー５５は上方へ向けて直立し、右側係合子６１及び左側係合子６２によって両側を均等に挟持された位置で、フェースプレート片５ｂの端縁が他のフェースプレート片５ａ及び５ｃと揃う。即ち、正常位置となる。この状態でキー１１を抜脱する。レバー５５はフェースプレート片５ａの背面と対向して施錠状態となるので、フェースプレート片５ｂを開放することはできない。
【００４３】
次に、フェースプレート片５ｂの左側を開く場合について述べる。
左側を開く場合も、右側を開く場合と同様であって、錠１０にキー１１を差し込み、反時計方向へ回動させると、図１３に示したとおり、レバー５５は右側係合子６２を蹴ってフェースプレート片５ｂを右側へ移動させる。この移動によってフェースプレート片５ｂの左側の端縁は収納ボックス４の左側側板よりも内側へ移動し、ピン５４ｈは長穴５２ｈａの他端部側で受け具５２ｈと係合し、ピン５４は長穴５２ａの一端部で受け具５２ｈと係合する。
【００４４】
キー１１を手前側へ引くと、フェースプレート片５ｂが手前側へ引かれて左側のピン５４ｈは落し穴５２ｈｃに落とし込まれて受け具５２ｈの係合位置が固定され、右側のピン５４は開口５２ｂを抜け、受け具５２との係合が解かれる。
更にキー１１を引くと、図１３に鎖線で示したとおり、フェースプレート片５ｂはピン５４ｈを支点として回動して収納ボックス４が開かれ、保守点検用スイッチ８の操作が可能となる。
【００４５】
次に、右側が開かれた状態のフェースプレート片５ｂを閉じる場合について述べる。この場合も、左側が開かれたフェースプレート片５ｂを閉じる場合と同様である。
キー１１を反時計方向へ回わした状態で、かつ、ピン５４ｈを落し穴５２ｈｃに落とし込んだ状態で、フェースプレート片５ｂを逆回動させて収納ボックス４を覆った後押し込む。この押込みによってピン５４ｈが落し穴５２ｈｃから脱出し、ピン５４は開口５２ｂを通って長穴５２ａと係合する。
【００４６】
キー１１を時計方向へ回すと、レバー５５が右側係合子６１を蹴ってフェースプレート片５ｂを左側へ移動させる。レバー５５は上方へ向けて直立し、右側係合子６１及び左側係合子６２によって両側を均等に挟持された位置で、フェースプレート片５ｂの端縁が他のフェースプレート片５ａ及び５ｃと揃う。この状態でキー１１を抜脱するとフェースプレート片５ｂは施錠状態となる。
【００４７】
上記実施の形態２によれば、フェースプレート片５ｂを左右に水平移動させて収納ボックス４からオーバーハングした部分を収納ボックス４内に没入させるようにしたので、受け具５２、５２ｈとピン５４、５４ｈの各係合位置が収納ボックス４内にあっても開閉することができる。
このため、フェースプレート５が収納ボックス４からオーバーハングしていても、フェースプレート５をかご室内側へ突出させる、即ち、受け具５４、５４ｈとピン５４、５４ｈの係合位置をかご室内側へ突出させることなく開閉することができる。
【００４８】
特に、この実施の形態２では、両側にヒンジ機構５１、５１ｈを設けて左右何れの側からも開くことができるようにしたので、開き勝手による不具合を無くすことができる。このため、例えば一側が壁面で仕切られていて、壁面側へフェースプレート片５ｂを水平移動できない場合であっても、反壁面側へ移動させることにより開くことができる。
【００４９】
実施の形態３．
なお、上記実施の形態１では、右側にヒンジ機構２１が取り付けられるものとしたが、左側に取り付けられた場合でも同様である。
また、実施の形態１及び実施の形態２では、いずれも受け具２２、５２及び５２ｈはフェースプレート片５ｂに取り付けられ、ピン２４、５４及び５４ｈは収納ボックス４に取り付けられるものとしたが、その逆であっても同様である。
更に、レバー２５、５５をフェースプレート片５ｂに、係合子３０、６０をフェースプレート片５ａに取り付けるものとしたが、レバー２５、５５をフェースプレート片５ａに、係合子３０、６０をフェースプレート片５ｂに取り付けても同様である。
【００５０】
【発明の効果】
この発明は上記のとおり構成されているので、以下の効果を奏する。
請求項１に係るエレベータのかご操作盤は、エレベータのかごの側壁に嵌設されて操作器具が収納された前面開口の収納ボックスと、複数の板状体からなるフェースプレート片で収納ボックスの開口を覆うフェースプレートと、操作器具を覆う所定のフェースプレート片の背面一側部に設けられ、長軸を水平方向へ向けた長穴が上下に掘穿された受け具、及び、収納ボックスに設けられ、受け具の長穴に挿入されるピンを有し、所定のフェースプレート片の一側部を収納ボックスに係止するヒンジ機構と、所定のフェースプレート片に取り付けられてキー操作によって揺動するレバーと、所定のフェースプレート片が閉じた状態でレバーに近接して配置されるとともに、揺動するレバーが当接することにより、所定のフェースプレート片を受け具の長穴の長軸方向に移動させる係合子と、を備え、所定のフェースプレート片は、キー操作により、その一側部が、収納ボックスの開口を覆う状態から、ピンを中心に回動可能な、収納ボックスの開口内側に移動されるようにしたものである。
このため、受け具とピンの係合位置が収納ボックス内にあっても開閉することができ、フェースプレートをかご室内側へ突出させる必要がなくなる、という効果を奏する。
また、フェースプレート５の開閉のためには、収納ボックス４は、フェースプレート片が沈み込むのに必要な深さがあれば良いから、操作器具を収納するのに必要とされる本来の深さで足りる、という効果も併せて奏する。
【００５１】
請求項２に係るエレベータのかご操作盤は、請求項１に係るエレベータのかご操作盤において、所定のフェースプレート片の一側部のみをヒンジ機構で収納ボックスに係止するようにしたものである。
このため、ヒンジ機構が設けられた側と反対側へフェースプレート片を移動させるものであるから、ヒンジ機構が設けられた側が壁面で仕切られていてもフェースプレート片を開放することができる、という効果を併せて奏する。
【００５２】
請求項３に係るエレベータのかご操作盤は、請求項１に係るエレベータのかご操作盤において、所定のフェースプレート片の両側部をヒンジ機構で収納ボックスに係止し、かつ、受け具の長穴の一端を開放端とし、キー操作によって所定のフェースプレート片の一方の側部が、収納ボックスの前面開口を覆う状態から、一方のヒンジ機構のピンを中心に回動可能な、収納ボックスの開口内側に移動されたときに、他方のヒンジ機構のピンが、開放端を介して他方のヒンジ機構の受け具から解放されるようにしたものである。
このため、左右何れの側からもフェースプレート片を開くことができ、開き勝手による不具合を無くすことができる、という効果を併せて奏する。
【００５３】
請求項４に係るエレベータのかご操作盤は、請求項１に係るエレベータのかご操作盤において、所定のフェースプレート片と所定のフェースプレート片に隣接する隣接フェースプレート片とのいずれか一方にレバーを取り付け、いずれか他方に係合子を取り付け、かつ、レバーは正常位置で所定のフェースプレート片を隣接フェースプレート片に係止させて施錠状態にしたものである。
このため、一般利用者によってフェースプレート片が開放されて操作器具が濫用されることはない、という効果を併せて奏する。
【００５４】
請求項５に係るエレベータのかご操作盤は、請求項１に係るエレベータのかご操作盤において、フェースプレート片の正常位置でレバーを制止させる位置決め機構を係合子に取り付けたものである。
このため、フェースプレート片を安定的に正常位置に制止させることができる、という効果を併せて奏する。
【図面の簡単な説明】
【図１】  この発明の実施の形態１におけるエレベータのかご操作盤の正面図。
【図２】  この発明の実施の形態１におけるエレベータのかご操作盤の要部を示す斜視図。
【図３】  この発明の実施の形態１におけるエレベータのかご操作盤の要部の組立てを示す斜視図。
【図４】  この発明の実施の形態１におけるエレベータのかご操作盤のヒンジ機構部分を示す斜視図。
【図５】  図１のＶ−Ｖ線断面を矢視した断面図。
【図６】  フェースプレート片を開く場合の一工程における図１のＶ−Ｖ線断面を矢視した断面図。
【図７】  フェースプレート片を開いた状態における図１のＶ−Ｖ線断面を矢視した断面図。
【図８】  フェースプレート片の移動量を示す説明用図。
【図９】  この発明の実施の形態２におけるエレベータのかご操作盤の一部を示す正面図。
【図１０】  図９のＸＩ−ＸＩ線断面を矢視した断面図。
【図１１】  フェースプレート片の左側を開く場合の一工程における図９のＸＩ−ＸＩ線断面を矢視した断面図。
【図１２】  フェースプレート片の左側を開いた状態における図９のＸＩ−ＸＩ線断面を矢視した断面図。
【図１３】  フェースプレート片の右側を開く場合の図９のＸＩ−ＸＩ線断面を矢視した断面図。
【図１４】  かご操作盤の取付け位置を示すエレベータのかごの横断面図。
【図１５】  かご操作盤の取付け位置を示すエレベータのかごの横断面図。
【図１６】  従来のエレベータのかご操作盤の正面図。
【図１７】  図１６のＸＶＩＩ−ＸＶＩＩ線断面を矢視した断面図。
【図１８】  フェースプレート片の左側を開いた状態における図１６のＸＶＩＩ−ＸＶＩＩ線断面を矢視した断面図。
【図１９】  従来のエレベータの他のかご操作盤の斜視図。
【図２０】  従来のエレベータの他のかご操作盤の要部を示す断面図。
【図２１】  従来のエレベータの他のかご操作盤の要部を示す断面図。
【符号の説明】
１  かご、  １ａ  側壁、  ３  かご操作盤、  ４  収納ボックス、  ５  フェースプレート、  ５ａ  フェースプレート片、  ５ｂ  フェースプレート片、  ５ｃ  フェースプレート片、  ６  行先釦、  ７  戸開閉釦、  ８  保守点検用スイッチ、  １０  錠、  １１  キー、  ２１  ヒンジ機構、  ２２  受け具、  ２２ａ  長穴、  ２３  取付腕、  ２４  ピン、  ２５  レバー、  ２６  左揺動レバー、  ２７  右揺動レバー、  ２８  制止レバー、  ３０  係合子、  ３１  右側係合子、  ３２  左側係合子、  ３３  ストッパ、  ５１  ヒンジ機構、  ５１ｈ  ヒンジ機構、  ５２  受け具、  ５２ｈ  受け具、  ５２ａ  長穴、  ５２ｈａ  長穴、  ５２ｂ  開口、  ５２ｈｂ  開口、  ５２ｃ  落し穴、  ５２ｈｃ  落し穴、  ５３  取付腕、  ５３ｈ  取付腕、  ５４  ピン、  ５４ｈ  ピン、  ５５  レバー、  ６０  係合子、  ６１  右側係合子、  ６２  左側係合子。
【図１】
0003966716.tif 000002
【図２】
0003966716.tif 000003
【図３】
0003966716.tif 000004
【図４】
0003966716.tif 000005
【図５】
0003966716.tif 000006
【図６】
0003966716.tif 000007
【図７】
0003966716.tif 000008
【図８】
0003966716.tif 000009
【図９】
0003966716.tif 000010
【図１０】
0003966716.tif 000011
【図１１】
0003966716.tif 000012
【図１２】
0003966716.tif 000013
【図１３】
0003966716.tif 000014
【図１４】
0003966716.tif 000015
【図１５】
0003966716.tif 000016
【図１６】
0003966716.tif 000017
【図１７】
0003966716.tif 000018
【図１８】
0003966716.tif 000019
【図１９】
0003966716.tif 000020
【図２０】
0003966716.tif 000021
【図２１】
0003966716.tif 000022